(57)【要約】【課題】発光装置の可動部材の移動量が増大しても、可動部材が発光位置で停止した際の振動や騒音の発生を効果的に緩和するとともに、可動部材の収納位置から発光位置への安定した移動を確保する仕組みを提供する。【解決手段】発光装置は、発光部を有し、支持部材１５により収納位置と発光位置との間で直進移動が可能に支持される可動部材５と、可動部材５を発光位置に向けて付勢する付勢部材１９と、付勢部材１９を可動部材５の移動方向に対して略直交する方向に押圧する押圧部１６ｃとを備える。可動部材５を収納位置と発光位置との間で直進移動が可能に支持する支持部材１５における付勢部材１９の上端部を保持する位置１５ａは、可動部材５の移動方向に対して押圧部１６ｃの押圧方向の反対側にずれて配置され、付勢部材１９における押圧部１６ｃに押圧される位置と可動部材５に保持される端部との間の部分は、可動部材５の移動方向に対して平行に配置される。【選択図】図４
2015001713.tif 000002
【特許請求の範囲】
【請求項１】
発光部を有し、撮像装置の装置本体に収納される収納位置と前記装置本体から突出した発光位置との間を直進移動する可動部材と、
前記可動部材を前記収納位置と前記発光位置との間で前記直進移動が可能に支持する支持部材と、
前記支持部材に一方の端部が保持され、前記可動部材に他方の端部が保持されて、前記可動部材を前記発光位置に向けて付勢する付勢部材と、
前記付勢部材を前記可動部材の移動方向に対して略直交する方向に押圧する押圧部と、を備え、
前記支持部材における前記付勢部材の一方の端部を保持する位置は、前記可動部材の移動方向に対して前記押圧部の押圧方向の反対側にずれて配置され、
前記付勢部材における前記押圧部に押圧される位置と前記可動部材に保持される端部との間の部分は、前記可動部材の移動方向に対して平行に配置されることを特徴とする発光装置。
【請求項２】
前記可動部材が前記発光位置に移動したとき、前記押圧部が前記付勢部材を押圧する位置は、前記付勢部材の中央部に配置されることを特徴とする請求項１に記載の発光装置。
【請求項３】
前記支持部材における前記付勢部材の一方の端部を保持する部分には、前記一方の端部の抜け止め部が設けられ、前記抜け止め部の抜け止め方向は、前記押圧部による前記付勢部材の押圧方向に対して直交する方向とされることを特徴とする請求項１又は２に記載の発光装置。
【請求項４】
前記可動部材を前記付勢部材の付勢力に抗して前記収納位置に保持するロック位置と前記保持を解除して前記可動部材を前記付勢部材の付勢力により前記発光位置に移動させるロック解除位置との間で切替操作が可能なロック部材を有し、
前記押圧部は、前記ロック部材が前記ロック解除位置に切替操作される際に、前記付勢部材を押圧することを特徴とする請求項１乃至３のいずれか一項に記載の発光装置。
【請求項５】
前記ロック部材は、付勢手段により前記ロック位置の方向に付勢され、
前記付勢部材の前記押圧部により押圧された際の復帰力は、前記押圧部を介して前記ロック部材を前記ロック位置へ付勢する力として作用することを特徴する請求項４に記載の発光装置。
【請求項６】
前記可動部材が前記発光位置に移動した際に、前記可動部材に設けられたストッパ部が当接して弾性変形する弾性部材を有し、
前記撮像装置の使用可能な温度環境範囲内で予め低温環境範囲及び高温環境範囲を設定した場合、前記付勢部材の付勢力は、前記低温環境範囲における前記可動部材の重量および前記発光部と回路基板とを接続する配線材の伸縮負荷よりも大きく、かつ前記高温環境範囲における前記弾性部材に圧縮永久歪みが発生する荷重よりも小さい値に設定されることを特徴する請求項１乃至５のいずれか一項に記載の発光装置。
【請求項７】
発光装置を備える撮像装置であって、
前記発光装置として請求項１乃至６のいずれか一項に記載の発光装置を備えることを特徴とする撮像装置。
【発明の詳細な説明】
【技術分野】
【０００１】
本発明は、例えばデジタルカメラ等の撮像装置に搭載されるストロボユニット等の発光装置、及び発光装置を備える撮像装置に関する。
【背景技術】
【０００２】
デジタルカメラ等の撮像装置では、ストロボ発光部を有する可動部材を装置本体の内部の収納位置から装置本体の外部の発光位置に移動させて発光を行う、所謂ポップアップ式のストロボユニットを備えるものがある。
【０００３】
可動部材を装置本体の収納位置から発光位置に移動させる手段としては、低コスト化、省スペース化、及び操作性の観点から、バネ部材が多く用いられている。
【０００４】
しかし、バネ部材を用いた場合、可動部材は、収納位置から発光位置まで移動する際に、外装カバーや装置本体の内部に設けられたストッパ部に衝突することで停止するため、衝突時の衝撃でバネ部材の振動や騒音が発生し、ユーザに不快感を与える問題がある。
【０００５】
そこで、移動するガイドピンに衝突するストッパ部をゴムやスポンジなどの弾性部材で形成することで、可動部材が発光位置で停止した際の振動や騒音の発生を緩和する技術が提案されている（特許文献１）。
【先行技術文献】
【特許文献】
【０００６】
【特許文献１】特開２０１１−４８２４９号公報
【発明の概要】
【発明が解決しようとする課題】
【０００７】
ところで、近年、よりワイドな画角が撮影できるズームレンズや、より明るい開放Ｆ値をもつ大口径レンズを用いたレンズ部が比較的小型なカメラ本体にも搭載されるようになってきている。
【０００８】
このようなカメラでは、レンズ部の繰出し量や直径が大きくなることから、ストロボ発光部からの光がレンズ部に遮られないようにするために、可動部材の移動量を増やす必要が生じる。
【０００９】
しかし、可動部材の移動量を増やすと、可動部材を収納位置から発光位置に移動させるバネ部材の長さが長くなる。このため、上記特許文献１のように、ストッパ部をゴムやスポンジなどの弾性部材で形成しても、バネ部材の付勢力の増加により、可動部材が発光位置で停止した際の振動や騒音の発生を十分に抑制することができなくなる可能性がある。また、バネ部材の長さが長くなることから、可動部材の収納位置から発光位置への安定した移動を確保することができなくなる可能性もある。
【００１０】
そこで、本発明は、発光装置の可動部材の移動量が増大しても、可動部材が発光位置で停止した際の振動や騒音の発生を効果的に緩和するとともに、可動部材の収納位置から発光位置への安定した移動を確保する仕組みを提供することを目的とする。
【課題を解決するための手段】
【００１１】
上記目的を達成するために、本発明の発光装置は、発光部を有し、撮像装置の装置本体に収納される収納位置と前記装置本体から突出した発光位置との間を直進移動する可動部材と、前記可動部材を前記収納位置と前記発光位置との間で前記直進移動が可能に支持する支持部材と、前記支持部材に一方の端部が保持され、前記可動部材に他方の端部が保持されて、前記可動部材を前記発光位置に向けて付勢する付勢部材と、前記付勢部材を前記可動部材の移動方向に対して略直交する方向に押圧する押圧部と、を備え、前記支持部材における前記付勢部材の一方の端部を保持する位置は、前記可動部材の移動方向に対して前記押圧部の押圧方向の反対側にずれて配置され、前記付勢部材における前記押圧部に押圧される位置と前記可動部材に保持される端部との間の部分は、前記可動部材の移動方向に対して平行に配置されることを特徴とする。
【発明の効果】
【００１２】
本発明によれば、発光装置の可動部材の移動量が増大しても、可動部材が発光位置で停止した際の振動や騒音の発生を効果的に緩和するとともに、可動部材の収納位置から発光位置への安定した移動を確保することができる。
【図面の簡単な説明】
【００１３】
【図１】（ａ）は、本発明の発光装置の実施形態の一例であるストロボユニットを搭載したデジタルスチルカメラを正面側（被写体側）から見た斜視図である。（ｂ）は、（ａ）に示すデジタルスチルカメラのストロボユニットの可動部材が発光位置に移動した状態を示す斜視図である。
【図２】（ａ）は可動部材が収納位置にあるときのストロボユニットを正面側から見た斜視図、（ｂ）は可動部材が発光位置にあるときのストロボユニットを正面側から見た斜視図、（ｃ）は（ｂ）の背面側から見た斜視図である。
【図３】ストロボユニットの上面図である。
【図４】（ａ）は可動部材が収納位置にあるときの図３のＳ−Ｓ線断面図、（ｂ）は操作レバーによるロック部材のロック解除操作時の図３のＳ−Ｓ線断面図である。
【図５】（ａ）はロック部材のロック解除後の図３のＳ−Ｓ線断面図、（ｂ）は可動部材が発光位置に移動するとともに、操作レバーが初期位置に復帰したときの図３のＳ−Ｓ線断面図である。
【図６】（ａ）は可動部材が収納位置にあるときのロック部材の状態を示す斜視図、（ｂ）は操作レバーによるロック部材のロック解除操作時の状態を示す斜視図である。（ｃ）はロック部材のロック解除後の状態を示す斜視図、（ｄ）は可動部材が発光位置に移動するとともに、操作レバーが初期位置に復帰したときのロック部材の状態を示す斜視図である。
【図７】（ａ）は引張りバネを組み付ける前の状態を示す斜視図、（ｂ）は可動側のフック部に引張りバネの下端の掛止リングを掛止した状態を示す斜視図である。（ｃ）は、可動側のフック部に引張りバネの下端の掛止リングを掛止するとともに、固定側のフック部に引張りバネの上端の掛止リングを掛止した状態を示す斜視図である。
【図８】（ａ）は可動部材が収納位置にあるときのストロボユニットの要部断面図、（ｂ）は可動部材のストッパ部が弾性部材に衝突した瞬間でのストロボユニットの要部断面図、（ｃ）は可動部材が発光位置で停止したときのストロボユニットの要部断面図である。
【発明を実施するための形態】
【００１４】
以下に、本発明の実施形態の一例を図面を参照して説明する。
【００１５】
図１（ａ）は、本発明の発光装置の実施形態の一例であるストロボユニットを搭載したデジタルスチルカメラを正面側（被写体側）から見た斜視図である。図１（ｂ）は、図１（ａ）に示すデジタルスチルカメラのストロボユニットの可動部が発光位置に移動した状態を示す斜視図である。なお、本実施形態では、撮像装置として、比較的小型なカメラ本体に繰出し量や直径が大きいレンズ部が搭載されたデジタルスチルカメラを例示するが、これに限定されない。
【００１６】
図１に示すデジタルスチルカメラは、カメラ本体１の正面側にレンズ部２が設けられ、カメラ本体１の上面部には、レリーズボタン３及び電源ボタン４等が設けられている。また、カメラ本体１の正面側から見て右側の上面部には、ストロボユニット７が設けられ、右側の側面部には、ストロボユニット７の操作レバー８が露出して設けられている。ここで、カメラ本体１は、本発明の装置本体の一例に相当する。
【００１７】
操作レバー８を操作することにより、ストロボユニット７の可動部材５が、カメラ本体１に収納された収納位置（図１（ａ））とカメラ本体１の上面部から突出した発光位置（図１（ｂ））との間で直進移動が可能とされている。
【００１８】
そして、可動部材５が発光位置に移動した状態、可動部材５に設けられたキセノン管２１（図８参照）からプリズム６を介して被写体に向けてストロボ光が発光される。
【００１９】
ここで、キセノン管２１は、本発明の発光部の一例に相当する。また、本実施形態では、上述したように、比較的小型なカメラ本体１に繰出し量や直径が大きいレンズ部２を搭載していることから、キセノン管２１からの光がレンズ部２に遮られないようにするために、可動部材５の移動量を増大させている。
【００２０】
図２（ａ）は、可動部材５が収納位置にあるときのストロボユニット７を正面側から見た斜視図である。図２（ｂ）は、可動部材５が発光位置にあるときのストロボユニット７を正面側から見た斜視図である。図２（ｃ）は、図２（ｂ）の背面側から見た斜視図である。
【００２１】
図２に示すように、可動部材５は、プリズム６、キセノン管２１（図８参照）及び不図示のトリガーコイルなどの内部部品を有し、内部部品は、正面側ケース９及び背面側ケース１０により覆われる。正面側ケース９は、可動部材５の正面、上面及び両側面の外装を形成している。
【００２２】
キセノン管２１やトリガーコイルは、配線材１３を介してコンデンサ１１及び回路基板１２に接続され、これにより、発光する為の電気回路を形成している。また、可動部材５は、正面側カバー１４と背面側カバー１５との間に挟まれた状態で、収納位置と発光位置との間を直進移動が可能に支持されている。ここで、正面側カバー１４及び背面側カバー１５は、本発明の支持部材の一例に相当する。
【００２３】
背面側カバー１５には、コンデンサ１１、及び回路基板１２が取り付けられている。また、背面側カバー１５には、可動部材５を収納位置で移動規制するロック部材１６が設けられている。
【００２４】
ロック部材１６は、背面側カバー１５に対して左右方向（水平方向）にロック位置とロック解除位置との間で移動可能に保持され、圧縮コイルバネ１７（以下、圧縮バネ１７という。）によりロック位置の方向に付勢されている。
【００２５】
正面側カバー１４には、気泡構造を有するスポンジやシリコンゴム等の弾性部材１８が設けられている。また、正面側ケース９には、可動部材５が収納位置から発光位置まで移動したときに弾性部材１８に当接して可動部材５を発光位置で停止させるストッパ部９ａが設けられている。ストッパ部９ａが弾性部材１８に衝突した際に弾性部材１８が弾性変形することで、可動部材５が発光位置で停止した際の衝撃が緩和される。
【００２６】
図３は、ストロボユニット７の上面図である。図４（ａ）は、可動部材５が収納位置にあるときの図３のＳ−Ｓ線断面図である。図４（ｂ）は、操作レバー８によるロック部材１６のロック解除操作時の図３のＳ−Ｓ線断面図である。図５（ａ）は、ロック部材１６のロック解除後の図３のＳ−Ｓ線断面図である。図５（ｂ）は、可動部材５が発光位置に移動するとともに、操作レバー８が初期位置に復帰したときの図３のＳ−Ｓ線断面図である。
【００２７】
図６（ａ）は、可動部材５が収納位置にあるときのロック部材１６の状態を示す斜視図であり、図４（ａ）に対応している。図６（ｂ）は、操作レバー８によるロック部材１６のロック解除操作時の状態を示す斜視図であり、図４（ｂ）に対応している。図６（ｃ）は、ロック部材１６のロック解除後の状態を示す斜視図であり、図５（ａ）に対応している。図６（ｄ）は、可動部材５が発光位置に移動するとともに、操作レバー８が初期位置に復帰したときのロック部材１６の状態を示す斜視図であり、図５（ｂ）に対応している。
【００２８】
図４に示すように、引張りコイルバネ１９（以下、引張りバネ１９という。）は、一方の端部が背面側カバー１５に設けられた固定側のフック部１５ａに掛止され、他方の端部が可動部材５の背面側ケース１０に設けられたフック部１０ａに掛止されている。かかる掛止状態においては、引張りバネ１９は、図４（ａ）に示す可動部材５の収納位置で上下方向に最も伸張した状態となっている。ここで、引張りバネ１９は、本発明の付勢部材の一例に相当する。
【００２９】
また、可動部材５の背面側ケース１０には、ストッパ部１０ｂが設けられている。図４（ａ）に示す可動部材５の収納位置で可動部材５を上方向に移動させようとする引張りバネ１９の付勢力は、ロック部材１６に形成された受け面であるロック部１６ａがストッパ部１０ｂに当接することで受け止められる。これにより、可動部材５は、カメラ本体１内部の収納位置に保持される。
【００３０】
圧縮コイルバネ２０（以下、圧縮バネ２０という。）は、操作レバー８を図の上方向に付勢する。圧縮バネ２０は、図４（ｂ）及び図５（ａ）に示すように、ユーザが指等で操作レバー８を付勢力に抗して矢印Ａ方向にスライド操作している間は、圧縮状態となる。また、圧縮バネ２０は、ユーザが操作レバー８から指等を離すと、図５（ｂ）に示すように、その付勢力により操作レバー８を初期位置に復帰させる。
【００３１】
本実施形態では、操作レバー８に設けられた摺動面８ａとロック部材１６に設けられた摺動面１６ｂとが操作レバー８のスライド方向に対して傾斜して互いに接する斜面で形成されている。そのため、操作レバー８を矢印Ａ方向にスライド操作すると、ロック部材１６が所謂くさび作用により矢印Ａ方向と直交する矢印Ｂ方向に移動する。
【００３２】
即ち、ロック部材１６は、ロック部１６ａがストッパ部１０ｂに係合するロック位置からロック部１６ａがストッパ部１０ｂから退避するロック解除位置との間で操作レバー８を介して切替操作が可能とされている。
【００３３】
操作レバー８を介してロック部材１６をロック解除位置に切替操作することで、引張りバネ１９の付勢力が解放され、可動部材５が図５に示すように上方向に移動して発光位置に達する。
【００３４】
また、ロック部材１６には、図４（ｂ）及び図５（ａ）に示すように、矢印Ｂ方向に移動する際に、引張りバネ１９の外周部を同方向、即ち、可動部材５の移動方向に対して略直交する方向に押圧する凸部１６ｃが設けられている。これにより、引張りバネ１９は、凸部１６ｃの部分で屈曲することになる。
【００３５】
ところで、固定側のフック部１５ａと可動側のフック部１０ａとを結ぶ線を可動部材５の移動方向と一致させた場合、凸部１６ｃにより引張りバネ１９を矢印Ｂ方向に押圧して屈曲させると、引張りバネ１９は、凸部１６ｃの位置で矢印Ｂ方向に湾曲してしまう。
【００３６】
この状態で、ロック部１６ａが退避してストッパ部１０ｂとのロックが解除されると、可動部材５は、斜めに傾きながら上方向へ移動することになる。
【００３７】
一般的に、可動部材５、正面側カバー１４及び背面側カバー１５は、樹脂で成形されており、それぞれの摺動部にはグリス等の潤滑が施されているものの、摩耗や変形を避けることはできない。
【００３８】
また、引張りバネ１９の引張り荷重は、後述する理由により一定以上に大きく設定することはできないため、可動部材５の傾きにより摺動抵抗が大きくなると、可動部材５の発光位置までの安定した移動を確保できなくなる可能性がある。
【００３９】
そこで、本実施形態では、引張りバネ１９の伸張状態において、図４（ｂ）に示すように、可動部材５の移動方向（鉛直方向）に対して固定側のフック部１５ａを凸部１６ｃによる引張りバネ１９の押圧方向の反対側に距離Ｃだけずらして配置している。
【００４０】
これにより、凸部１６ｃが押圧する位置の下側、つまり引張りバネ１９における可動側のフック部１０ａの移動範囲に相当する部分が鉛直方向に対して平行に配置される。また、引張りバネ１９の凸部１６ｃが押圧する位置よりも上側は、鉛直方向に対して図の左側へ傾いて配置される。
【００４１】
このように配置することで、引張りバネ１９により可動側のフック部１０ａを可動部材５の移動方向に対して平行に付勢することが可能となり、可動部材５を安定して発光位置に移動させることができる。ここで、凸部１６ｃは、本発明の押圧部の一例に相当する。
【００４２】
図５（ａ）に示すように、可動部材５が発光位置に移動した瞬間は、ロック部材１６の凸部１６ｃは、収縮した引張りバネ１９の軸方向の略中央部を押圧している。引張りバネ１９は、収縮することでその付勢力が弱まり、左右方向に振動する振れ幅が大きくなりやすい。
【００４３】
そのため、収縮した状態でもっとも振幅が大きい引張りバネ１９の軸方向の略中央部を凸部１６ｃで押圧することで、引張りバネ１９の振動を効率的に抑制して、可動部材５が発光位置で停止した際の振動や騒音の発生を効果的に緩和することができる。
【００４４】
その後、操作レバー８は、圧縮バネ２０の付勢力により初期位置に復帰し、ロック部材１６は、圧縮バネ１７の付勢力により初期位置に復帰して、図５（ｂ）に示す状態に至る。このとき、ロック部材１６の凸部１６ｃは、引張りバネ１９から離間した位置に配置される。つまり、引張りバネ１９に対して凸部１６ｃからの力が加わるのは、ユーザが操作レバー８を操作している間だけである。
【００４５】
一方、引張りバネ１９の振動や騒音が発生するタイミングは、ロック部材１６によるロックを解除して可動部材５が上方に移動した直後である。このように、必要な時にだけ引張りバネ１９を凸部１６ｃで押圧し、それ以外では外力を加えない構成とすることで、長時間放置や環境の変化による引張りバネ１９やロック部材１６の変形を防ぐことが可能になる。
【００４６】
更に、引張りバネ１９の屈曲した状態から元の状態へ戻ろうとする復帰力は、圧縮バネ１７の付勢力をアシストして、ロック部材１６をロック位置へ押し返す力として作用する。また、引張りバネ１９の復帰力は、摺動面１６ｂと摺動面８ａを介して操作レバー８に押し上げる力として作用する。
【００４７】
このように、引張りバネ１９の復帰力が他の２つの圧縮バネ１７，２０の付勢力をアシストすることで、圧縮バネ１７および圧縮バネ２０の荷重を比較的小さく設定することができ、省スペース化が図れる。
【００４８】
なお、発光位置に移動した可動部材５は、ユーザがその上面をカメラ本体１の内部に押し込むことによって、収納位置へ移動可能である。このとき、ストッパ部１０ｂの下面がロック部１６ａに当接して圧縮バネ１７の付勢力に抗してロック部材１６を退避させる。その後、ストッパ部１０ｂの上面にロック部１６ａが係合し、引張りバネ１９が伸張した状態で可動部材５が収納位置に保持される（図４（ａ）参照）。
【００４９】
図７は、固定側のフック部１５ａおよび可動側のフック部１０ａに引張りバネ１９を組み付ける手順を説明するための斜視図である。図７（ａ）は引張りバネ１９を組み付ける前の状態を示す斜視図、図７（ｂ）は可動側のフック部１０ａに引張りバネ１９の下端の掛止リングを掛止した状態を示す斜視図である。図７（ｃ）は、可動側のフック部１０ａに引張りバネ１９の下端の掛止リングを掛止するとともに、固定側のフック部１５ａに引張りバネ１９の上端の掛止リングを掛止した状態を示す斜視図である。
【００５０】
引張りバネ１９は、図７（ｂ）に示すように、下端側の掛止リングを可動側のフック部１０ａに掛止した後、図７（ｃ）に示すように、上端側の掛止リングを固定側のフック部１５ａに掛止する。
【００５１】
固定側のフック部１５ａの先端に設けられた抜け止め部としての爪部１５ｂの高さ及び厚さは、引張りバネ１９の上端側の掛止リングの組み付け性を考慮して、引張りバネ１９の線径の１〜５倍程度が好ましい。
【００５２】
ここで、固定側のフック部１５ａの爪部１５ｂによる引張りバネ１９の上端側の掛止リングの抜け止め方向は、凸部１６ｃによる引張りバネ１９の押圧方向に対して直交する方向になっている。
【００５３】
これにより、固定側のフック部１５ａの爪部１５ｂに掛止リングの抜け止め方向の力が加わらない状態で、凸部１６ｃにより引張りバネ１９を図４（ｂ）の矢印Ｂ方向に大きく変形させて屈曲させることが可能となっている。
【００５４】
次に、図８を参照して、可動部材５が発光位置に移動したときに可動部材５の衝撃を緩和する弾性部材１８について説明する。図８（ａ）は可動部材５が収納位置にあるときのストロボユニット７の要部断面図、図８（ｂ）は可動部材５のストッパ部９ａが弾性部材１８に衝突した瞬間でのストロボユニット７の要部断面図である。図８（ｃ）は、可動部材５が発光位置で停止したときのストロボユニット７の要部断面図である。
【００５５】
図８において、左側がカメラ本体１の正面側、即ち被写体側となる。図８（ａ）の状態で操作レバー８をスライド操作すると、上述したように、ロック部材１６によるロックが解除され、可動部材５が上方に移動する。
【００５６】
そして、図８（ｂ）に示すように、ストッパ部９ａが弾性部材１８に当接した後、更に、可動部材５は、上方に移動して弾性部材１８を弾性変形させ、最終的に引張りバネ１９の付勢力と弾性部材１８の反発力が釣り合った位置で停止する（図８（ｃ））。ここで、図８（ｃ）における領域１８ａは、弾性部材１８が変形した領域を示している。
【００５７】
弾性部材１８は、衝撃に対する振動や騒音を抑制する効果を高くし、繰り返し耐久でのヘタリも少なくするためには、より柔軟性を有する材質が好ましい。また、弾性部材１８は、厚さが厚いほうが弾性領域１８ａでの可動部材５の衝撃吸収効果が高くなる。
【００５８】
しかし、優れた柔軟性を有し、かつ比較的厚肉なスポンジやゴム等の弾性部材は、高温環境下で常に大きな力が加わっている状態で放置されると、永久歪みを生じ、弾性が低下する可能性がある。一方、低温環境下では、キセノン管２１やトリガーコイルの配線材１３が硬くなり、伸縮負荷が増大することで、可動部材５の安定した移動を阻害する原因となる。
【００５９】
そこで、本実施形態では、カメラの使用可能な温度環境範囲内で予め低温環境範囲及び高温環境範囲を設定した場合、引張りバネ１９の引張り荷重を次のように設定している。即ち、引張りバネ１９の引張り荷重を、低温環境範囲における可動部材５の重量および配線材１３の伸縮負荷よりも大きく、且つ高温環境範囲における弾性部材１８に圧縮永久歪みが発生する荷重よりも小さい値に設定している。
【００６０】
以上説明したように、本実施形態では、ストロボユニット７の可動部材５の移動量が増大しても、可動部材５が発光位置で停止した際の振動や騒音の発生を効果的に緩和するとともに、可動部材５の収納位置から発光位置への安定した移動を確保することができる。
【００６１】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００６２】
１  カメラ本体
５  可動部材
８  操作レバー
９ａ  ストッパ部
１０ａ  可動側フック部
１４  正面側カバー
１５  背面側カバー
１５ａ  固定側フック部
１６  ロック部材
１６ｃ  凸部
１８  弾性部材
１９  引張りバネ
【図１】
2015001713.tif 000003
【図２】
2015001713.tif 000004
【図３】
2015001713.tif 000005
【図４】
2015001713.tif 000006
【図５】
2015001713.tif 000007
【図６】
2015001713.tif 000008
【図７】
2015001713.tif 000009
【図８】
2015001713.tif 000010